(57)【要約】【課題】短時間で容易に長袖を裏返すことができる袖返し具を提供する。【解決手段】棒２が、細長く、断面が楕円形を成している。棒２は、先端部２ａが、先端に向かって徐々に細くなるように形成されている。棒２は、後端部２ｂの表面２ｄに、幅方向に伸びる４つの溝２ｃが形成されている。棒２は、長袖の衣服の袖の内部に挿入して貫通可能になっている。鉤状のフック３が、棒２の先端に設けられている。フック３は、先端が棒２の後端側に向き、棒２の表面２ｄの側に配置されるよう設けられている。フック３は、棒２の先端を袖の袖ぐりから内部に挿入したとき、袖の袖口を引っ掛け可能になっている。【選択図】図１
0003159428.tif 000002
【実用新案登録請求の範囲】
【請求項１】
長袖の衣服の袖の内部に挿入して貫通可能に設けられた棒と、
前記棒を前記袖の袖ぐりから内部に挿入したとき前記袖の袖口に引っ掛け可能に前記棒の先端に設けられたフックとを、
有することを特徴とする袖返し具。
【請求項２】
前記フックはＵ字状に折り曲げた管から成り、弾力性を有する線状のスライド部材を有し、前記スライド部材は前記フックの内部にスライド可能に収納されて前記フックの先端孔から突出可能であり、前記フックの先端孔から突出する先端が前記フックの基部側に湾曲するよう付勢されており、
操作部を有し、前記操作部は前記スライド部材の後端に取り付けられ、前記スライド部材を前記フックに沿ってスライドさせて前記スライド部材の先端を前記フックの先端孔から進退させるよう前記棒の後端部に設けられていることを、
特徴とする請求項１記載の袖返し具。
【考案の詳細な説明】
【技術分野】
【０００１】
本考案は、衣服の袖を裏返すための袖返し具に関する。
【背景技術】
【０００２】
長袖の衣服を脱ぐとき、袖を裏返しにして脱ぐことが多い。一般に、裏返された袖を元に戻すには、袖ぐりから裏返された袖に手を入れて袖を引っぱり出したり、裏返された袖を袖ぐりに向かって押し込んだりしている。なお、従来、身につける物を裏返しにするものとして、ゴム手袋の裏返し器が提案されている（例えば、特許文献１参照）が、袖を裏返すものは存在していない。
【先行技術文献】
【特許文献】
【０００３】
【特許文献１】実用新案登録第３０８１２４３号公報
【考案の概要】
【考案が解決しようとする課題】
【０００４】
長袖の袖口を引っぱり出したり、押し込んだりして裏返す方法は、単純ではあるが、以外と手間取るものである。特に、洗濯後の濡れた衣服の袖や子供用の衣服の細い袖を裏返すとき、数が多いときなどには、袖を裏返すのに相当の労力と時間を要するという課題があった。
【０００５】
本考案は、このような課題に着目してなされたもので、短時間で容易に長袖を裏返すことができる袖返し具を提供することを目的とする。
【課題を解決するための手段】
【０００６】
上記目的を達成するために、本考案に係る袖返し具は、長袖の衣服の袖の内部に挿入して貫通可能に設けられた棒と、前記棒を前記袖の袖ぐりから内部に挿入したとき前記袖の袖口に引っ掛け可能に前記棒の先端に設けられたフックとを、有することを特徴とする。
【０００７】
本考案に係る袖返し具は、以下のようにして長袖を裏返すことができる。まず、棒を袖ぐりから袖の内部に挿入し、袖を貫通させる。このとき、棒の先端から袖に挿入して、袖口から先端を出す。棒の先端に設けられた鉤状のフックを袖口に引っ掛け、そのまま棒を引っ張って袖ぐりから出す。これにより、フックに引っ掛けられた袖口を袖の内部を通して袖ぐりから出すことができ、長袖を裏返すことができる。
【０００８】
このように、本考案に係る袖返し具は、長袖の袖口を手で引っぱり出したり、手で押し込んだりして裏返す場合に比べて、短時間で容易に長袖を裏返すことができる。また、本考案に係る袖返し具を用いて長袖を裏返すことにより、衣服のしわやよれを直し、洗濯の仕上がりをきれいにすることができる。洗濯後の濡れた衣服の袖や子供用の衣服の細い袖であっても、短時間で容易に裏返すことができる。また、数が多いときであっても、効率よく短時間で容易に裏返すことができる。
【０００９】
本考案に係る袖返し具は、棒の後端部の握りの形状や、握りの部分に設けられた印により、握りを握ったときにフックの向きがわかるよう構成されていることが好ましい。この場合、握りを握っただけでフックの向きがわかり、フックを袖口に引っ掛けやすい。また、本考案に係る袖返し具は、袖の裏返し以外に、ふとんたたきや、洗濯物を干したり収納したりする時などに使用されてもよい。
【００１０】
本考案に係る袖返し具は、前記フックはＵ字状に折り曲げた管から成り、弾力性を有する線状のスライド部材を有し、前記スライド部材は前記フックの内部にスライド可能に収納されて前記フックの先端孔から突出可能であり、前記フックの先端孔から突出する先端が前記フックの基部側に湾曲するよう付勢されており、操作部を有し、前記操作部は前記スライド部材の後端に取り付けられ、前記スライド部材を前記フックに沿ってスライドさせて前記スライド部材の先端を前記フックの先端孔から進退させるよう前記棒の後端部に設けられていることが好ましい。この場合、操作部を操作してスライド部材の先端を前記フックの先端孔から突出させ、スライド部材で袖口をつかむことができる。このため、袖の裏返し作業を効率よく容易に行うことができる。
【考案の効果】
【００１１】
本考案によれば、短時間で容易に長袖を裏返すことができる袖返し具を提供することができる。
【図面の簡単な説明】
【００１２】
【図１】本考案の実施の形態の袖返し具を示す（ａ）左側面図、（ｂ）正面図、（ｃ）底面図である。
【図２】図１に示す袖返し具の変形例を示す左側面図である。
【考案を実施するための形態】
【００１３】
以下、図面に基づき本考案の実施の形態について説明する。
図１および図２は、本考案の実施の形態の袖返し具を示している。
図１に示すように、袖返し具１は、棒２とフック３とを有している。
【００１４】
図１に示すように、棒２は、細長く、断面が楕円形を成している。棒２は、先端部２ａが、先端に向かって徐々に細くなるように形成されている。棒２は、後端部２ｂの表面２ｄに、幅方向に伸びる４つの溝２ｃが形成されている。棒２は、長袖の衣服の袖の内部に挿入して貫通可能な長さおよび太さを有している。
【００１５】
図１に示すように、フック３は、鉤状を成し、棒２の先端に設けられている。フック３は、先端３ａが棒２の後端側を向き、棒２の表面２ｄの側に配置されるよう設けられている。フック３は、棒２の先端を袖の袖ぐりから内部に挿入したとき、袖の袖口を引っ掛け可能になっている。
【００１６】
なお、図１に示す具体的な一例では、棒２は、長さが５０ｃｍ、幅が２．５ｃｍである。棒２は、木製のほか、樹脂製などいかなる材質から成っていてもよい。フック３は、金属製のほか、樹脂製などいかなる材質から成っていてもよい。
【００１７】
次に、作用について説明する。
袖返し具１は、以下のようにして長袖を裏返すことができる。まず、棒２を袖ぐりから袖の内部に挿入し、袖を貫通させる。このとき、棒２の先端から袖に挿入して、袖口から先端を出す。棒２の先端に設けられた鉤状のフック３を袖口に引っ掛け、そのまま棒２を引っ張って袖ぐりから出す。これにより、フック３に引っ掛けられた袖口を袖の内部を通して袖ぐりから出すことができ、長袖を裏返すことができる。
【００１８】
このように、袖返し具１は、長袖の袖口を手で引っぱり出したり、手で押し込んだりして裏返す場合に比べて、短時間で容易に長袖を裏返すことができる。また、袖返し具１を用いて長袖を裏返すことにより、衣服のしわやよれを直し、洗濯の仕上がりをきれいにすることができる。洗濯後の濡れた衣服の袖や子供用の衣服の細い袖であっても、容易に裏返すことができる。特に数が多いときであっても、効率よく短時間で容易に裏返すことができる。袖返し具１は、棒２の後端部２ｂの握りの部分に設けられた４つの溝２ｃにより、握りを握ったときにフック３の向きがわかるため、フック３を袖口に引っ掛けやすい。
【００１９】
なお、図２に示すように、袖返し具１は、操作部５１と、弾力性を有する線状のスライド部材５２を有していてもよい。この場合、フック３はＵ字状に折り曲げた管から成る。フック３は、湾曲した内側に溝を有する。スライド部材５２は、フック３の内部にスライド可能に収納されてフック３の先端３ａの孔から突出可能であり、フック３の先端３ａの孔から突出する先端がフック３の基部側に湾曲するよう付勢されている。
操作部５１は、連結部材５３によりスライド部材５２の後端に取り付けられ、スライド部材５２をフック３に沿ってスライドさせて、スライド部材５２の先端をフック３の先端３ａの孔から進退させるよう棒２の後端部２ｂに設けられている。棒２の後端部２ｂの握りを握って指で操作部５１をスライドさせることにより、フック３の内部でスライド部材５２をスライドさせ、フック３の先端３ａの孔からスライド部材５２の先端を突出させることができる。これにより、スライド部材５２の先端で袖口をしっかりとつかむことができる。操作部５１は片手で操作可能であり、袖の裏返し作業を効率よく容易に行うことができる。
【符号の説明】
【００２０】
１    袖返し具
２    棒
２ａ  先端部
２ｂ  後端部
２ｃ  溝
２ｄ  表面
３    フック
３ａ  先端
【図１】
0003159428.tif 000003
【図２】
0003159428.tif 000004